(57)【特許請求の範囲】
【請求項１】
少なくとも上下２つの係止孔を有する支柱に固定して物品又は物品支持具を支持する支柱取付け具であって、
支柱に取着される支柱取付け部と、
該支柱取付け部から前方へ延びる物品又は物品支持具を支持する支持部を有し、
該支柱取付け部は、該係止孔に係止する上下一対の係止爪と、
該上下一対の係止爪を連接する上下方向に延びる係止爪連接部と、
該係止爪連接部の上下方向の中央より上方側又は下方側のいずれかに付設され、且つ一方の側方向に延びる、螺子孔を有する螺子支持座部と、
該係止爪連接部の該螺子支持座部とは反対側に付設される、支柱の前側面に当接して左右方向及び上下方向の動きを規制する上下一対の当接面とを備えることを特徴とする支柱取付け具。
【請求項２】
該係止爪連接部は、厚み方向が左右方向となる板状体であることを特徴とする請求項１記載の支柱取付け具。
【請求項３】
該上下一対の当接面は、該板状体の上下端からそれぞれ側方に屈曲する折り曲げ片部  の後端面であることを特徴とする請求項１又は２記載の支柱取付け具。
【請求項４】
該螺子支持座部は、螺子孔が形成された板状体であることを特徴とする請求項１〜３のいずれか１項に記載の支柱取付け具。
【請求項５】
該螺子支持座部は、該上下一対の当接面より前方側に位置することを特徴とする請求項１〜４のいずれか１項に記載の支柱取付け具。
【請求項６】
該支持部は、棒状部材又は棒状部材の屈曲体であることを特徴とする請求項１〜５のいずれか１項に記載の支柱取付け具。 
【発明の詳細な説明】
【技術分野】
【０００１】
本発明は、スーパーや量販店で使用される商品陳列棚の支柱又は支持用の支柱への固定安定性に優れる物品（商品）の支持に好適な支柱取付け具に関するものである。
【背景技術】
【０００２】
スーパーや量販店で使用される商品陳列棚は、通常は支柱４本使用し、前後２本の支柱でひとつのブラケットを支持し、左右のブラケット間で１枚の陳列棚を支持するものが知られている（再表２００５/０４６４０１号公報、実用新案登録第３１８６８８０号公報）。商品陳列棚で使用される支柱あるいは商品陳列棚以外の支持用で使用される支柱を、商品陳列棚以外の使用に供する場合がある。すなわち、これらの支柱には、上下方向に所定のピッチで多数の係止孔が形成されているため、この係止孔に支柱取付け具の係止部を係止して、物品又は物品支持具を吊り下げて使用するものである。
【先行技術文献】
【特許文献】
【０００３】
【特許文献１】再表２００５/０４６４０１号公報
【特許文献２】実用新案登録第３１８６８８０号公報
【発明の概要】
【発明が解決しようとする課題】
【０００４】
しかしながら、従来の支柱取付け具は、支柱の係止孔に係り止めする上下一対の係止爪を有するものであり、固定安定性が十分とは言えないものであった。
【０００５】
従って、本発明の目的は、商品陳列棚の支柱又は支持用の支柱への固定安定性に優れる物品の支持に好適な支柱取付け具を提供することにある。
【課題を解決するための手段】
【０００６】
すなわち、本発明は、従来の課題を解決するものであって、少なくとも上下２つの係止孔を有する支柱に固定して物品又は物品支持具を支持する支柱取付け具であって、支柱に取着される支柱取付け部と、該支柱取付け部から前方へ延びる物品又は物品支持具を支持する支持部を有し、該支柱取付け部は、該係止孔に係止する上下一対の係止爪と、該上下一対の係止爪を連接する上下方向に延びる係止爪連接部と、該係止爪連接部の上下方向の中央より上方側又は下方側のいずれかに付設され、且つ一方の側方向に延びる、螺子孔を有する螺子支持座部と、該係止爪連接部の該螺子支持座部とは反対側に付設される、支柱の前側面に当接して左右方向及び上下方向の動きを規制する上下一対の当接面とを備えることを特徴とする支柱取付け具を提供するものである。
【発明の効果】
【０００７】
本発明によれば、螺子支持座部の螺子孔に螺号する螺子の先端と上下一対の当接面は、上下方向に延びる係止爪連結部とは左右方向において互いに反対側に位置する。また、上下一対の当接面は、螺子を挟んで上下方向において互いに反対側に位置する。このため、係止爪が係止孔に係止され、螺子止めすると、螺子の先端と上下一対の当接面が支柱の側面に当接して強い固定が可能となる。従って、支持部に物品又は物品支持具を吊り下げても安定した支持ができる。
【図面の簡単な説明】
【０００８】
【図１】本発明の実施の形態における支柱取付け具の斜視図である。
【図２】図１の支柱取付け具の他の斜視図である。
【図３】図１の支柱取付け具の使用状態図である。
【図４】図１の支柱取付け具の他の使用状態図である。
【図５】図３の支柱取付け具の平面図である。
【図６】図１の支柱取付け具の他の使用状態図である。
【図７】図１の支柱取付け具の他の使用例を示す図である。
【図８】図７の支柱取付け具の他の斜視図である。
【図９】図７の支柱取付け具の平面図である。
【発明を実施するための形態】
【０００９】
本発明の実施の形態における支柱取付け具を図１〜図９を参照して説明する。本明細書中、「正面」、「上下」及び「左右」は図４の支柱取付け状態における符号Ｘ方向から見た方向又は位置を言う。支柱取付け具１０は、少なくとも上下２つの係止孔５１を有する支柱５０に固定して物品又は物品支持具３０を支持するものであって、支柱５０に取着される支柱取付け部１と、支柱取付け部１から前方へ延びる物品又は物品支持具３０を支持する支持部２を有する。支柱取付け部１と支柱部２は一体化されている。
【００１０】
支柱取付け具１０において、支柱取付け部１は、係止孔５１に係止する上下一対の係止爪１１ａ、１１ｂを有する。上下一対の係止爪１１ａ、１１ｂは、支柱５０の係止孔５１に係止することで、支柱５０への取付け位置が決定される。また、支柱５０の係止孔５１は、通常、縦長のスリット孔のものが多い。従って、上下一対の係止爪１１ａ、１１ｂは、このスリット孔の形状に対応した厚み方向が左右方向の板状体である。上下一対の係止爪１１ａ、１１ｂは、互いに同形状であり、一方の係止爪１１ｂについて説明する。すなわち、係止爪１１ｂは、係止爪連結部１２の下方後端（先端）から後方に延びる板状の腕部１１３ｂと、板状の腕部１１３ｂの後端に形成される腕部１１３ｂの板状形状より大の高さ寸法を有する係止突起部１１１ｂとからなり、腕部１１３ｂと係止突起部１１１ｂにより略直角の外角を有する段差１１２ｂが形成されている（図２）。係止突起部１１１ｂの高さは支柱５０のスリット５１の長さ（高さ）寸法よりやや小の寸法であり、スリット５１に容易に入れ込むことができる。また、係止突起部１１１ｂがスリット５１に完全に挿入されると、支柱５０の内部は空洞であるため、係止部突起部１１１ｂは中空の支柱内に没入し、腕部１１３ｂがスリット５１の下端に係止することになる。これにより、係止突起部１１１ｂの段差１１２ｂが支柱５０の中空の裏面壁に当接して、前方への移動（飛び出し）を阻止し、支柱５０からの脱落を防止している。
【００１１】
支柱取付け具１０において、支柱取付け部１は、上下一対の係止爪１１ａ、１１ｂを連接する上下方向に延びる係止爪連接部１２を更に有する。係止爪連接部１２は、厚み方向が左右方向となる板状体である。すなわち、係止爪連接部１２と上下一対の係止爪１１ａ、１１ｂとで、側面視はコ字形状であり、正面視は厚み（ｗ）の板状形状となっている。係止爪連接部１２を板状体とすることで、螺子支持座部１４や上下一対の当接面１３ａ、１３ｂが形成し易くなる。
【００１２】
支柱取付け具１０において、支柱取付け部１は、係止爪連接部１２の上下方向長さの中央より上方側又は下方側のいずれか、本例では、上方側に付設され、且つ一方の側方向、本例では左側方向に延びる、螺子孔１４１を有する螺子支持座部１４を更に有する。すなわち、螺子支持座部１４は、板状の係止爪連接部１２の後端から左側方向に直角に屈強して延びる螺子孔１４１が形成された板状体である。螺子支持座部１４の螺子孔１４１には、雌ねじが切られている。すなわち、螺子孔１４１に螺合する螺子１５は、螺子込むことで、螺子込み方向に前進する。螺子支持座部１４は、係止爪連接部１２の上下方向の中央より上方側又は下方側のいずれかに形成されることで、同じものを２個使用し、一方を上下方向に反転させて左右横並びで使用する際、螺子支持座部１４が互いの障害とならず、近接した位置でのダブル使用が可能となる。これにより、より重い物品や物品支持具３０の使用が可能となる。また、螺子支持座部１４は、上下一対の当接面１３ａ、１３ｂより前方側（手前）に位置する。これにより、螺子１５がねじ込まれると、螺子支持座部１４の後方側（支柱側）へ螺子先端が前進し、螺子１５の先端が支柱５０の前側面に当たり、更にねじ込むことで、上下一対の係止爪１１ａ、１１ｂの強い係止を実現することができる。また、螺子支持座部１４は、上下一対の当接面１３ａ、１３ｂとは係止爪連接部１２を中心に、左右方向の反対側に位置するため、支柱取付け具１０の左右方向の振れがなくなる。
【００１３】
支柱取付け具１０において、支柱取付け部１は、係止爪連接部１２の螺子支持座部１４とは反対側に付設される、支柱５０の前側面５２に当接して左右方向及び上下方向の動きを規制する上下一対の当接面１３ａ、１３ｂとを更に備える。上下一対の当接面１３ａ、１３ｂは、略板状の折り曲げ片１３Ａ、１３Ｂの後方端面である。すなわち、上下一対の当接面１３ａ、１３ｂは、板状体である係止爪連接部１２の上下端からそれぞれ側方に屈曲する折り曲げ片の後端面である。略板状の折り曲げ片１３Ａ、１３Ｂは、係止爪連接部１２の上下端から螺子支持座部１４とは左右方向の反対側に屈曲する。これにより、上下一対の当接面１３ａ、１３ｂは、板状体の係止爪連接部１２を中心に、螺子支持座部１４とは左右方向の反対側に位置し、更に当接面１３ａ、１３ｂは横長の四角形状となるため、支柱取付け具１０の左右方向の振れ防止に効果的に作用する。また、係止爪１１ａ、１１ｂの係止突起部１１１ｂと上下一対の当接面１３ａ、１３ｂ間の前後方向における距離は、ゼロ又は支柱５０の肉厚ｔより極僅かに大である。係止爪１１ａ、１１ｂの係止突起部１１１ｂと上下一対の当接面１３ａ、１３ｂ間の前後方向における距離が、支柱５０の肉厚ｔと同じであると、係止爪１１ａ、１１ｂのスリット５１への挿入及び係止が余裕がなく、容易ではなくなり、一方、係止爪１１ａ、１１ｂの係止突起部１１１ｂと上下一対の当接面１３ａ、１３ｂ間の前後方向における距離が、支柱５０の肉厚ｔに比べて大き過ぎると、特に左右方向の振れが生じる点で好ましくない。
【００１４】
支柱取付け具１０において、支持部２は、物品又は物品支持具を支持するものであれば、特に制限されず、例えば、棒状部材又は棒状部材の屈曲体が挙げられる。支持部２は、支持部２に直接、物品が支持されてもよく、物品支持具を取り付け、この物品支持具に物品が支持されてもよい。本例では、上下２本の横棒部材２１ａ、２１ｂと、横棒部材２１ａ、２１ｂの両端を接続する縦棒部材２２ａ、２２ｂからなる四角枠形状の棒状部材の屈曲体である。そして、後方の縦棒部材２２ａが上下一対の折り曲げ片１３Ａ、１３Ｂ間において、係止爪連接部１２の右側面に固定されている。符号２３ａ、２３ｂは補強部材である。なお、支持部２の形状は、本例の形態以外に、例えば１本の棒部材、板状部材など種々の形態を採ることができる。支持部２である棒状部材又は棒状部材の屈曲体は、本例のように、上下一対の折り曲げ片１３Ａ、１３Ｂ間であって、係止爪連接部１２の外側から前方に延びるものであると、後述する２本並列設置の際、設置の障害となることがない。
【００１５】
次に、支柱取付け具１０の取付け方法、支柱への固定の作用および使用方法について説明する。先ず、支柱取付け具１０の係止爪１１ａ、１１ｂを２つのスリット５１、５１に少し斜め前から挿入する。一対の係止爪１１ａ、１１ｂと２つのスリット５１、５１は対応位置にある。このため、一対の係止爪１１ａ、１１ｂの先端の係止突起部１１１ａ、係止突起部１１１ｂは、スリット５１、５１に容易に差し込める。支柱取付け具１０を更に支柱５０側に押し込むと、上下一対の当接面１３ａ、１３ｂが支柱５０の前側面５２に当たり、そのまま下方に少し降ろせば、一対の係止爪１１ａ、１１ｂは２つのスリット５１、５１に係止する。すなわち、段差１１２ａ、１１２ｂがスリット５１、５１の下端の角に係止する。この状態において、螺子１５を螺子支持座部１４の螺子孔１４１にねじ込む。螺子孔１４１には、螺子が切られているため、螺子１５はねじ込む方向に回転しながら前進する。螺子１５の先端が支柱５０の前側面５２に当たり、更にねじ込むことで、一対の係止爪１１ａ、１１ｂと支柱５０が強く係止し、支持部２が前側面５２に対し垂直に支持される。また、上下一対の当接面１３ａ、１３ｂと支柱５０の前側面５２は、接触に近い程、近接している。また、螺子１５の先端と上下一対の当接面１３ａ、１３ｂは、係止爪連結部１２を挟んで左右方向において互いに反対側に位置する。また、上下一対の当接面１３ａ、１３ｂは、螺子１５を挟んで上下方向において互いに反対側に位置する。このため、係止爪１１ａ、１１ｂがスリット５１、５１に係止され、螺子止めすると、螺子１５の先端と上下一対の当接面１３ａ、１３ｂが支柱５０の側面５２に当接して強い固定が可能となる。次に、支持部２に物品又は物品支持具を支持させる。図６の場合、線材で形成されたかご状容器３０には、フック形状の係止部（図６では見えない）が形成されており、この係止部が支持部２に係止して、かご状容器３０を吊り下げている。支柱取付け具１０は支柱５０に強く固定されているため、かご状容器３０の支持も安定している。
【００１６】
次に、ダブルのスリット５１、５１を有する支柱５０に支柱取付け具１０を取付ける方法およびその使用方法について説明する。すなわち、支柱５０は横並び２つのダブルのスリット５１、５１を有するものである。ひとつの支柱取付け具１０は、支柱５０の一方の縦列のスリット５１に取り付けられる。支柱取付け具１０の支柱５０への取り付け方法は、前述の取り付け方法と同様である。図４に示すように、支柱取付け具１０の係止爪連接部１２、上下一対の当接面１３ａ、１３ｂ及び上下一対の係止爪１１ａ、１１ｂは、左右方向において取り付けられる縦列スリット５１より外側に位置する。また、螺子支持座部１４は、左右方向において、横並びの２つのスリット５１、５１間に位置している。
【００１７】
次に、図４の取り付け状態において、２本目の支柱取付け具１０を取り付ける。２本目の支柱取付け具１０は、上下反転させる。この状態で支柱５０に取り付ける。２本目の支柱取付け具１０の支柱５０への取り付け方法は、前述の取り付け方法と同様である。螺子支持座部１４は、係止爪連接部１２の上下方向長さの中央より上方側又は下方側のいずれかに付設されているため、隣接設置の際、障害となることがない。すなわち、本例では、図４に示すように、１本目の支柱取付け具１０の係止爪連接部１２は、上下方向の中央より上方側に位置し、２本目の支柱取付け具１０の係止爪連接部１２は、上下方向の中央より下方側に位置し、２つの係止爪連接部１２は、支柱５０の左右方向の中央において、上下方向に縦一列に並ぶことになる。
【００１８】
２本横並びの支柱取付け具１０は、支持部２である棒状部材の屈曲体２が横並びで近接しているため、２本横並びの棒状部材を支持部２として使用すると、重量物の支持も可能となる。支柱取付け具１０を支柱５０から取り外すには、螺子１５を外し、緩んだところで、支柱取付け具１０を少し上方に上げ、次いで、手前に引くことで、係止爪１１ａ、１１ｂをスリット５１、５１から外す。
【産業上の利用可能性】
【００１９】
本発明によれば、上下一対の係止爪が係止孔に係止され、螺子止めすると、係止爪の係止が強いものとなる。また、係止爪を挟んで上下一対の当接面と螺子支持座部が、左右方向の反対側に位置するため、左右の振れを抑制し、支柱への固定安定性に優れる。従って、支持部に物品又は物品支持具を吊り下げても安定した支持が可能となる。このため、ペットボトル類の吊り下げ陳列が可能となり、陳列の演出を高めることができる。また、支柱への取り外しが容易であり、作業負担を軽減できる。
【符号の説明】
【００２０】
１    支柱取付け部
２    支持部
１０    支柱取付け具
１１ａ、１１ｂ    係止爪
１２    係止爪連結部
１３ａ、１３ｂ        当接面
１３Ａ、１３Ｂ        折り曲げ片
１４                  螺子支持座部
１５    螺子
３０  物品支持具
５０  支柱
５１  係止孔
１１１ａ、１１１ｂ    係止突起部
１１２ａ、１１２ｂ    段差
１１３ａ、１１３ｂ    腕部
【図１】
0006403194.tif 000002
【図２】
0006403194.tif 000003
【図３】
0006403194.tif 000004
【図４】
0006403194.tif 000005
【図５】
0006403194.tif 000006
【図６】
0006403194.tif 000007
【図７】
0006403194.tif 000008
【図８】
0006403194.tif 000009
【図９】
0006403194.tif 000010